(57)【要約】【課題】携帯端末用の端子カバーを抜けにくく、挿入しやすいものにする。【解決手段】充電端子を露出させるための端子用開口を塞ぐ端子カバー１０を備える携帯端末において、端子用開口の周縁を、周囲よりも凹んだ端子用凹部で囲み、この端子用凹部に係止用孔を形成する。端子カバー１０に、端子用凹部を塞ぐ蓋部１３と、この蓋部１３に略直交に連続する連結部１４とを設ける。この連結部１４に、係止用孔に挿入されて係合される爪部１５と、爪部１５及び蓋部１３の間に形成されて該連結部１４の変形を助ける連結部変形用孔１７と、連結部変形用孔１７に形成され、連結部変形用孔１７周縁及び爪部１５の間を橋渡しする橋渡部１８とを設ける。【選択図】図５
2010062066.tif 000002
【特許請求の範囲】
【請求項１】
接続端子を露出させるための端子用開口を塞ぐ端子カバーを備える携帯端末であって、
上記端子用開口の周縁は、周囲よりも凹んだ端子用凹部に囲まれ、該端子用凹部には係止用孔が形成されており、
上記端子カバーは、上記端子用凹部を塞ぐ蓋部と、該蓋部に略直交に連続する連結部とを備え、
上記連結部は、
上記係止用孔に挿入されて係合される爪部と、
上記爪部及び上記蓋部の間に形成されて該連結部の変形を助ける連結部変形用孔と、
上記連結部変形用孔に形成され、該連結部変形用孔周縁及び上記爪部の間を橋渡しする橋渡部とを備え、
上記爪部は、上記蓋部に向かって上記連結部から離れる方向に傾斜し、
上記橋渡部は、
上記爪部の上記蓋部側の端部に連結され、上記蓋部に向かって上記連結部へ近付く方向に傾斜した傾斜部と、
該傾斜部に連結された水平部とで構成されている
ことを特徴とする携帯端末。
【請求項２】
請求項１に記載の携帯端末であって、
上記連結部変形用孔周縁における、上記橋渡部と上記蓋部との間には、該橋渡部の変形を容易にする橋渡部変形用孔が形成されている
ことを特徴とする携帯端末。
【請求項３】
請求項１又は２に記載の携帯端末であって、
上記連結部の先端には、蓋部に近付くにつれて拡がって上記係止用孔よりも幅が広くなり、再び係止用孔よりも幅が狭くなる鉤部が形成され、
上記連結部における、上記鉤部よりも蓋部側には、上記鉤部の幅よりも狭く、上記係止用孔の幅よりも広い突起部が形成されている
ことを特徴とする携帯端末。
【請求項４】
請求項１乃至３のいずれか１つに記載の携帯端末であって、
上記端子カバーは、弾性部材で構成されている
ことを特徴とする携帯端末。
【発明の詳細な説明】
【技術分野】
【０００１】
充電端子、カード端子、ヘッドホン端子等を覆う端子カバーを備えた携帯端末に関する。
【背景技術】
【０００２】
従来より、携帯端末、特に携帯電話機は、機能性向上に伴い、多くの端子、例えば充電端子、カード端子、ヘッドホン端子等を搭載するようになってきた。そして、各端子は、端子カバーによって開閉自在に構成されることで、防塵されている。
【０００３】
例えば、特許文献１では、携帯端末の外部接続端子部分において、端子カバーの取付時には本体にあるボスに傾斜面が当接し、端子カバーを押し込むと、弾性変形用穴の変形により、ボスが抜け止め用部分に位置することで、抜け止めされている。端子カバーを開く際には、ボスがガイド面に沿って移動すること引き出される。端子カバーを取り外す際には、抜止め用部分と、傾斜面と、先端面とを弾性変形させ、簡単に取り外すことができるようにしている。このことで、端子カバーが使用中に壊れたり、紛失するおそれがなく、しかも、簡単に取り外し可能に構成している。
【０００４】
また、特許文献２の携帯端末の外部接続端子カバー構造では、外部接続端子部分を覆うためのカバー部材を筐体に保持する弾性端子部材の、筐体挿抜方向の移動を規制する機構（一対の爪とこの爪に係合するボス）の他に、当該挿抜方向にほぼ直交する方向の移動を規制する機構（第３の爪とストッパ及びアーム）を追加し、この直交方向への保持部材の弾性変形を防止している。
【特許文献１】特開２００１−２１０９７２号公報
【特許文献２】特開２００７−１１６５６２号公報
【発明の開示】
【発明が解決しようとする課題】
【０００５】
しかしながら、上記特許文献１及び２では、端子カバーの抜止め用部分の肉が薄いため、端子カバーの外れ止め効果が十分ではない。このため、意図せず端子カバーが外れると音もなく落下して紛失したことに気がつかないおそれがある。
【０００６】
本発明は、かかる点に鑑みてなされたものであり、その目的とするところは、抜けにくく、挿入しやすい携帯端末用端子カバーを得ることにある。
【課題を解決するための手段】
【０００７】
上記の目的を達成するために、この発明では、端子カバーの蓋部と連結された連結部に爪部と、連結部変形用孔と、橋渡し部とを設けた。
【０００８】
具体的には、第１の発明では、接続端子を露出させるための端子用開口を塞ぐ端子カバーを備える携帯端末を対象とし、
上記携帯端末は、
上記端子用開口の周縁は、周囲よりも凹んだ端子用凹部に囲まれ、該端子用凹部には係止用孔が形成されており、
上記端子カバーは、上記端子用凹部を塞ぐ蓋部と、該蓋部に略直交に連続する連結部とを備え、
上記連結部は、
上記係止用孔に挿入されて係合される爪部と、
上記爪部及び上記蓋部の間に形成されて該連結部の変形を助ける連結部変形用孔と、
上記連結部変形用孔に形成され、該連結部変形用孔周縁及び上記爪部の間を橋渡しする橋渡部とを備え、
上記爪部は、上記蓋部に向かって上記連結部から離れる方向に傾斜し、
上記橋渡部は、
上記爪部の上記蓋部側の端部に連結され、上記蓋部に向かって上記連結部へ近付く方向に傾斜した傾斜部と、
該傾斜部に連結された水平部とで構成されている。
【０００９】
上記の構成によると、連結部を係止用孔に挿入するときに、爪部が係止用孔の周縁に当接して傾斜部側に押圧され、その力は傾斜部から水平部にスムーズに伝達されるので、端子カバーの挿入が容易になる。爪部が引っ張られたときには、爪部と連結部変形用孔周縁との間を橋渡しする橋渡部によって爪部が容易にめくり上がらないので、端子カバーが意図せず抜け出すことはない。
【００１０】
第２の発明では、第１の発明において、
上記連結部変形用孔周縁における、上記橋渡部と上記蓋部との間には、該橋渡部の変形を容易にする橋渡部変形用孔が形成されている。
【００１１】
上記の構成によると、端子カバーを挿入するときに、爪部が係止用孔の周縁に当接して下方へ押圧されるが、その力は傾斜部から水平部に伝達され、橋渡部変形用孔が変形することで橋渡部が容易に係止用孔内に挿入される。
【００１２】
第３の発明では、第２の発明において、
上記連結部の先端には、蓋部に近付くにつれて拡がって上記係止用孔よりも幅が広くなり、再び係止用孔よりも幅が狭くなる鉤部が形成され、
上記連結部における、上記鉤部よりも蓋部側には、上記鉤部の幅よりも狭く、上記係止用孔の幅よりも広い突起部が形成されている。
【００１３】
上記の構成によると、鉤部と突起部とで幅に差を設け、端子カバーを引き出して開くときに、係止用孔に対して突起部を通過させるのを容易にして端子カバーを開きやすくし、鉤部を通過させにくくすることで、端子カバーを取り外しにくくして端子カバーの紛失を防止している。
【００１４】
第４の発明では、第１乃至第３のいずれか１つの発明において、
上記端子カバーは、弾性部材で構成されている。
【００１５】
上記の構成によると、端子カバーは、容易に弾性変形するので、挿入しやすく、耐久性のあるものとなる。
【発明の効果】
【００１６】
以上説明したように、本発明の端子カバーによれば、端子用凹部を塞ぐ蓋部を設け、さらにこの蓋部に略直交に連続し、係止用孔に挿入されて係合される爪部と、爪部及び蓋部の間に形成されて変形を助ける連結部変形用孔と、連結部変形用孔周縁及び爪部の間を橋渡しする橋渡部とを有する連結部を設けたことにより、抜けにくく、挿入しやすい端子カバーが得られる。
【発明を実施するための最良の形態】
【００１７】
以下、本発明の実施形態を図面に基づいて説明する。
【００１８】
−携帯電話機の構成−
図１〜図３は、本発明の実施形態のスライド式携帯端末としての携帯電話機１を示し、この携帯電話機１は、表面側に表示部２を備えた第１の筐体３が、表面側に操作部４を備えた第２の筐体５上をスライド機構６によってスライド可能に構成されている。このことで、携帯電話機１は、第１の筐体３を第２の筐体５上にスライドさせることにより、図１に示す操作部４が第１の筐体３の裏面側に隠れる閉じ状態と、図２に示す表示部２が現れる開き状態とに開閉自在に構成されている。
【００１９】
表示部２は、液晶ディスプレイを備えている。表示部２は、有機ＥＬディスプレイを備えていてもよく、また、タッチパネルにより構成してもよい。表示部２は、第１の筐体３のほぼ全体を占めているが、第１の筐体３の一部に操作キーを備えていてもよい。
【００２０】
第２の筐体５には充電池９（図６にのみ示す）が内蔵されている。この充電池９に充電するための接続端子としての充電端子７が第２の筐体５の下端部に内蔵されている。図４に示すように、この充電端子７は、左右方向に延びる矩形状の端子用開口８から露出している。この充電端子７に図示しない充電器の端子が接続されて充電が可能となっている。この端子用開口８は、端子カバー１０で防塵、防水、外観向上等の目的で開閉自在に覆われている。
【００２１】
端子用開口８の周縁は、周囲よりも凹んだ矩形状の端子用凹部１１に囲まれている。この端子用凹部１１における端子用開口８の下方には、左右方向に延びる直線状の係止用孔１２が開口されている。
【００２２】
図５に示すように、端子カバー１０は、端子用凹部１１を塞ぐ矩形板状の蓋部１３を備えている。端子カバー１０は、合成樹脂やエラストマーなどの弾性部材で構成されている。この蓋部１３における、上記係止用孔１２に対応する部分には、蓋部１３に略直交に連続する連結部１４が設けられている。
【００２３】
連結部１４は、蓋部１３と反対側の先端部に係止用孔１２に挿入され、この係止用孔１２に係合される爪部１５を備えている。爪部１５は、蓋部１３に向かって連結部１４から離れる方向に傾斜する平坦な爪部本体１５ａと、この爪部本体１５ａを連結部１４に連結する、側面視三角形状の一対の側壁１５ｂと備えている。連結部１４の肉厚は蓋部１３の肉厚よりも薄く、変形しやすいものとなっている。
【００２４】
爪部１５と蓋部１３との間には、連結部１４の変形を助ける、左右に長い連結部変形用孔１７が形成されている。
【００２５】
連結部変形用孔１７の左右中央には、この連結部変形用孔１７周縁と爪部１５との間を橋渡しする橋渡部１８が形成されている。橋渡部１８は、爪部１５の蓋部１３側端部に連結され、蓋部１３に向かって連結部１４へ近付く方向に傾斜した傾斜部１８ａを備えている。この傾斜部１８ａは、水平に延びる水平部１８ｂに連結され、その水平部１８ｂの他端が連結部変形用孔１７の周縁に接続されている。水平部１８ｂは、連結部１４と同一平面に配置されている。
【００２６】
図６に示すように、爪部１５の高さｈ１は、係止用孔１２の高さｈ２よりも高くなっている（ｈ１＞ｈ２）。このため、爪部１５が係止用孔１２を通過する際には、必ず係止用孔１２の周縁に当接するようになっている。
【００２７】
そして、連結部変形用孔１７周縁における、橋渡部１８の水平部１８ｂの延長上の蓋部１３の手前には、橋渡部変形用孔１９が形成されている。橋渡部変形用孔１９は、左右に伸びる長円形状を有し、橋渡部１８の変形を容易にする役割を果たしている。
【００２８】
図７に示すように、連結部１４の先端には、蓋部１３に近付くにつれて幅が広がり、再び幅が狭くなる鉤部２０が形成されている。鉤部２０の最大幅Ｗ１は、係止用孔の幅Ｗ２よりも大きくなっている（Ｗ１＞Ｗ２）。鉤部２０の蓋部１３側は、切欠２１が形成され、鉤部２０が係止用孔１２を通過するときには、変形しやすくなっている。鉤部２０の蓋部１３側の幅は、係止用孔１２の幅Ｗ２よりも狭くなり、再び左右方向に突出する突起部２２の位置でその幅Ｗ３が係止用孔１２の幅Ｗ２よりも広くなっている（Ｗ３＞Ｗ１）。また、突起部２２の幅Ｗ３は鉤部２０の幅Ｗ１よりも狭くなっている（Ｗ３＞Ｗ２＞Ｗ１）。
【００２９】
−携帯電話機の作用−
次に、本実施形態にかかる携帯端末の作動について説明する。
【００３０】
図６（ａ）及び図７（ａ）に示すように、端子カバー１０を係止用孔１２に挿入する前では、爪部１５の高さｈ１は、係止用孔１２の高さｈ２よりも高くなっており、鉤部２０の最大幅Ｗ１は、係止用孔の幅Ｗ２よりも大きくなっている。
【００３１】
このため、図６（ｂ）及び図７（ｂ）に示すように、爪部１５及び鉤部２０が係止用孔１２を通過する際に係止用孔１２の周縁に当接する。
【００３２】
さらに端子カバー１０を挿入すると、図５及び図８（ａ）に示すように、係止用孔１２に当接した爪部１５が変形して傾斜部１８ａを押し上げる。この力は、白抜き矢印で示すように、水平部１８ｂに伝達され、橋渡部変形用孔１９を変形させる。同時に鉤部２０が係止用孔１２に当接し、切欠２１側へ変形すると共に、連結部変形用孔１７を変形させる。このため、端子カバー１０の挿入が容易になる。
【００３３】
図８（ｂ）に示すように、鉤部２０が係止用孔１２を通過すると、連結部１４は弾性を有するので元の形に戻り、鉤部２０が係止用孔１２に引っ掛かかるので、この状態で連結部１４を撓ませれば、端子カバー１０は抜けずに充電端子７に充電が可能となる。鉤部２０のかえり部分により、端子カバー１０は抜けにくくなっている。さらに、橋渡部１８と側壁１５ｂとによって、爪部１５が引っ張られても容易に爪部１５が容易にめくり上がらないので、端子カバー１０はさらに抜けにくくなっている。
【００３４】
さらに、端子カバー１０を挿入すると、突起部２２が係止用孔１２の周縁に当接しながら変形し、図７（ｃ）に示すように、蓋部１３の表面と端子用凹部１１の周囲とが略連続した閉じた状態となる。
【００３５】
このように、弾性部材で構成した端子カバー１０は容易に弾性変形するので、挿入しやすい。そして、突起部２２の幅Ｗ３を鉤部２０の幅Ｗ１よりも狭くすることで、端子カバー１０を引き出して開くときに、係止用孔１２に対して突起部２２を通過させるのを容易にして端子カバー１０を開きやすくし、鉤部２０を通過させにくくすることで、端子カバー１０を取り外しにくくして端子カバー１０の紛失を防止している。
【００３６】
−実施形態の効果−
したがって、本実施形態にかかる携帯電話機１によると、端子カバー１０に端子用凹部１１を塞ぐ蓋部１３を設け、さらに、この蓋部１３に略直交に連続し、係止用孔１２に挿入されて係合される爪部１５と、爪部１５及び蓋部１３の間に形成されて変形を助ける連結部変形用孔１７と、連結部変形用孔１７周縁及び爪部１５の間を橋渡しする橋渡部１８とを有する連結部１４を設けたことにより、抜けにくく、挿入しやすい端子カバーが得られる。
【００３７】
（その他の実施形態）
本発明は、上記実施形態について、以下のような構成としてもよい。
【００３８】
すなわち、上記実施形態では、接続端子は、充電端子７としたが、カード端子、ヘッドホン端子等でもよい。
【００３９】
上記実施形態では、携帯端末は、携帯電話機としたが、ＰＨＳ、ＰＤＡ、ＰＣ、モバイルツール、電子辞書、電卓、ゲーム機等であってもよい。
【００４０】
なお、以上の実施形態は、本質的に好ましい例示であって、本発明、その適用物や用途の範囲を制限することを意図するものではない。
【図面の簡単な説明】
【００４１】
【図１】本発明の実施形態にかかる携帯電話機の閉じた状態を示す斜視図である。
【図２】携帯電話機の開いた状態を示す斜視図である。
【図３】携帯電話機の開いた状態を示す正面図である。
【図４】端子用開口及びその周辺の拡大斜視図である。
【図５】端子カバーの拡大斜視図で、（ａ）が内側且つ表側から見たもので、（ｂ）が内側かつ裏側から見たものである。
【図６】図３のVI−VI線断面図であり、（ａ）が挿入前、（ｂ）が挿入中、（ｃ）が挿入完了状態を示す。
【図７】図６に対応する平面図であり、（ａ）が挿入前、（ｂ）が挿入中、（ｃ）が挿入完了状態を示す。
【図８】図７に対応する平面図であり、（ａ）は、橋渡部変形用孔が変形する様子を示し、（ｂ）は、鉤部が引っ掛かかり、充電端子に充電可能な状態を示す。
【符号の説明】
【００４２】
１      携帯電話機（携帯端末）
２      表示部
３      第１の筐体
４      操作部
５      第２の筐体
６      スライド機構
７      充電端子（接続端子）
８      端子用開口
９      充電池
１０      端子カバー
１１      端子用凹部
１２      係止用孔
１３      蓋部
１４      連結部
１５      爪部
１７      連結部変形用孔
１８      橋渡部
１８ａ    傾斜部
１８ｂ    水平部
１９      橋渡部変形用孔
２０      鉤部
２１      切欠
２２      突起部
【図１】
2010062066.tif 000003
【図２】
2010062066.tif 000004
【図３】
2010062066.tif 000005
【図４】
2010062066.tif 000006
【図５】
2010062066.tif 000007
【図６】
2010062066.tif 000008
【図７】
2010062066.tif 000009
【図８】
2010062066.tif 000010